(57)【要約】【課題】子供や老人のような握力が弱い人であっても容易に包装容器に装着されたキャップを開けることができ、多種類の径寸法に対応可能なキャップ開封用補助具を提供する。【解決手段】両端部が対向して位置するリング状をなす巻締部１２と、巻締部１２に所要間隔をおいて複数本配設され、開封しようとするキャップ６０を進入させるキャップ進入空間１００を形成すると共に、進入したキャップ６０の外周面に当接する当接片１４と、リング状の巻締部１２の一端側に位置する当接片１４の内壁面に設けられ、進入したキャップ６０の外周面に係止する係止片３０と、巻締部１２の他端側に外方に突出して設けられ、係止片３０がキャップ外周面に係止した状態において外力を加えることにより、巻締部１２を巻締め可能な巻付部２０と、を有することを特徴とする。【選択図】図５
2009227292.tif 000002
【特許請求の範囲】
【請求項１】
両端部が対向して位置するリング状をなす巻締部と、
該巻締部に所要間隔をおいて複数本配設され、開封しようとするキャップを進入させるキャップ進入空間を形成すると共に、進入したキャップの外周面に当接する当接片と、
前記リング状の巻締部の一端側に位置する当接片の内壁面に設けられ、進入したキャップの外周面に係止する係止片と、
前記巻締部の他端側に外方に突出して設けられ、前記係止片がキャップ外周面に係止した状態において外力を加えることにより、前記巻締部を巻締め可能な締付部と、を有することを特徴とするキャップ開封用補助具。
【請求項２】
前記係止片は、端縁部が前記キャップの外周面に食い込む爪部に形成されていることを特徴とする請求項１記載のキャップ開封用補助具。
【請求項３】
前記当接片先端部の内壁面が先端に向けて外方に傾斜するキャップ進入用のガイド面に形成されていることを特徴とする請求項１または２記載のキャップ開封用補助具。
【請求項４】
前記巻締部一端側と他端側との間には、該一端側に他端側を近づける方向に付勢する付勢部材が設けられていることを特徴とする請求項１〜３のうちのいずれか一項に記載のキャップ開封用補助具。
【請求項５】
前記リング状の巻締部の上面には、巻締部の内方に突出するストッパが設けられていることを特徴とする請求項１〜４のうちのいずれか一項に記載のキャップ開封用補助具。
【請求項６】
前記締付部には、プルタブを開封する際に用いるプルタブ開封片が設けられていることを特徴とする請求項１〜５のうちのいずれか一項に記載のキャップ開封用補助具。
【請求項７】
前記プルタブ開封片には先端部から前記巻付部に向けて徐々に高くなる形状に形成されたリブが配設されていることを特徴とする請求項６記載のキャップ開封用補助具。
【請求項８】
前記プルタブ開封片の先端部と前記リブの先端部とは共に先細に形成されていて、前記プルタブ開封片に前記リブが面一にすりつけられた状態に設けられていることを特徴とする請求項７記載のキャップ開封用補助具。
【発明の詳細な説明】
【技術分野】
【０００１】
本発明はペットボトル等の包装用容器のキャップを容易に開封するために用いるキャップ開封用補助具に関する。
【背景技術】
【０００２】
飲料や調味料等を収容する包装用容器の注ぎ口にはキャップが取り付けられている。このようなキャップは未開封状態と開封状態とが一目で確認することができるように、包装容器の収容体側の先端部分が注ぎ口から離反しない状態で装着されたキャップ部材からキャップのみを分離させて開封する形態が採用されている。キャップを開封する際にはキャップの包装容器の収容体側の先端部近傍に形成されているミシン目部分からキャップを分離させた後に、注ぎ口から離反させなければならず、子供や老人等の握力が弱い人にとってはこのようなキャップを開封することは困難であることが多い。
また、一旦キャップ部材から離反させたキャップを再び包装用容器の注ぎ口に装着することもあるが、握力の強い人がキャップを再装着した後に握力の弱い人がキャップを再開封しようとする場合にも容易に再開封できない場合がある。
【０００３】
そこで近年においては、包装用容器に装着されているキャップを開封する際において、握力が弱い人であっても容易にキャップを開封または再開封することを可能にしたキャップ開封用補助具がいくつか提案されている。
【特許文献１】特開２００３−３００５９７号公報
【特許文献２】特開２００１−１５８５００号公報
【発明の開示】
【発明が解決しようとする課題】
【０００４】
しかしながら特許文献１，２において開示されているキャップ開封用補助具は、いずれも円型形状をなす開口部に突起を配設して得たものであり、このようなキャップ開封用補助具は、開口部形状が予め定まってしまっているので、適用可能なキャップの径寸法に制約があるという課題が明らかになった。
【０００５】
そこで本願発明は、子供や老人のような握力が弱い人であっても容易に包装容器に装着されたキャップを開けることができ、多種類の径寸法に対応可能なキャップ開封用補助具の提供を目的としている。
【課題を解決するための手段】
【０００６】
本発明は、両端部が対向して位置するリング状をなす巻締部と、該巻締部に所要間隔をおいて複数本配設され、開封しようとするキャップを進入させるキャップ進入空間を形成すると共に、進入したキャップの外周面に当接する当接片と、前記リング状の巻締部の一端側に位置する当接片の内壁面に設けられ、進入したキャップの外周面に係止する係止片と、前記巻締部の他端側に外方に突出して設けられ、前記係止片がキャップ外周面に係止した状態において外力を加えることにより、前記巻締部を巻締め可能な締付部と、を有することを特徴とするキャップ開封用補助具である。
【０００７】
また、前記係止片は、端縁部が前記キャップの外周面に食い込む爪部に形成されていることを特徴とする。これにより、キャップ当接部の内周面に設けた爪部を強固にキャップの外周面に噛合させることができるので、さらに容易にキャップを開封することができる。
【０００８】
また、前記当接片先端部の内壁面が先端に向けて外方に傾斜するキャップ進入用のガイド面に形成されていることを特徴とする。これにより、本発明品を容易にキャップに装着することができる。
【０００９】
また、前記巻締部一端側と他端側との間には、該一端側に他端側を近づける方向に付勢する付勢部材が設けられていることを特徴とする。これにより、本発明品を一旦キャップに装着すれば、キャップから離脱してしまうおそれがない。
【００１０】
また、前記リング状の巻締部の上面には、巻締部の内方に突出するストッパが設けられていることを特徴とする。これにより、キャップが巻締部を突き抜けてしまうことを防止し、本物品に対して適切な状態でキャップを装着することができる。
【００１１】
また、前記締付部には、プルタブを開封する際に用いるプルタブ開封片が設けられていることを特徴とする。
また、前記プルタブ開封片には先端部から前記巻付部に向けて徐々に高くなる形状に形成されたリブが配設されていることを特徴とする。
また、前記プルタブ開封片の先端部と前記リブの先端部とは共に先細に形成されていて、前記プルタブ開封片に前記リブが面一にすりつけられた状態に設けられていることを特徴とする。
これらによりキャップの開封のみならず、缶飲料等のプルタブを容易に開封することができ、少なくとも飲料一般における開封が困難な容器に好適に用いることができる。また、このプルタブ開封片は、キャップを開封する際において使用者が締付部に対して力を付与し易くすることができるので、容易にキャップを開封することにも寄与する。
【発明の効果】
【００１２】
本発明にかかるキャップ開封用補助具の構成を採用することにより、子供や老人のような握力や腕力が弱い人であっても容易に包装容器に装着されたキャップを開封および再開封することができる。また、本発明品を使用する際には、リング状の巻締部を弾性変形させながら当接片により形成されたキャップ進入空間にキャップを押し込めば、弾性変形していた巻締部の復元力により当接片および係止片をキャップの外周面に確実に食い込ませることができるので、装着が容易であると共にさまざまな径寸法のキャップに対応することができる。
【発明を実施するための最良の形態】
【００１３】
以下、本発明にかかるキャップ開封用補助具の実施形態について、図面に基づいて説明する。本実施形態においては、キャップが装着された包装用容器の一例として、飲料用ペットボトルを例示しているが、本願発明はこの使用形態に限定されるものではないのはもちろんである。
【００１４】
（第１実施形態）
図１は、第１実施形態におけるキャップ開封用補助具の上面図である。図２は、第１実施形態におけるキャップ開封用補助具の側面図である。図３は、第１実施形態におけるキャップ開封用補助具の下面図である。
【００１５】
本実施形態におけるキャップ開封用補助具１０は、両端部が対向して位置するリング状をなす巻締部１２と、巻締部１２に所要間隔をおいて複数本配設され、開封しようとする包装容器のキャップ６０の進入空間１００を形成すると共に、キャップ６０の外周面に当接する当接片１４と、巻締部１２の一端側に設けられた当接片１４Ａの内壁面に設けられ、キャップ進入空間１００に進入したキャップ６０の外周面に係止する係止片３０と、巻締部１２に連設すると共に、巻締部１２をキャップ６０の外周面に巻締めさせるために巻締力を付与する締付部２０と、を有している。
【００１６】
当接片１４は、巻締部１２の下面から下方側に突出する状態で立設されている。巻締部１２の自由端側（一端側）に設けられている当接片１４Ａ以外の当接片１４は、キャップ６０の外周面に強く当接するように、内壁面側が細くなる断面が楔状をなす形状に形成するのが好適である。当接片１４の下側端部（先端部）の内壁面は、下側端部（先端側）に向けて外方に傾斜するガイド面１３に形成されている。ガイド面１３は、キャップ進入空間１００にキャップ６０を進入させる際のガイドとして機能する。
【００１７】
本実施形態においては、巻締部１２の自由端部に設けられている当接片１４Ａにおける係止片３０を構成する爪部３２として金属板を用いている。爪部３２は当接片１４Ａの内側表面からさらに内側に突出するように当接片１４Ａに埋設されている。爪部３２の突出量は、爪部３２の内周面位置が当接片１４の内周面位置よりもわずかに内側位置となるように設けられている。爪部３２は樹脂製の巻締部１２にインサート成形又は圧入することにより当接片１４Ａの端縁部に配設することができる。
【００１８】
巻締部１２の上面側には巻締部１２の内方に突出するストッパ１６が配設されている。ストッパ１６は半円状の平板に形成されていて、キャップ６０の上面に当接する。
また、巻締部１２の自由端部側の外周面には突出部１８が形成されている。該突出部１８と、締付部２０に形成された突出部２２との間に付勢部材であるゴムバンド４０が掛け止めされる。
巻締部１２の外周面にはキャップ開封用補助具１０を握ってキャップを開封する際の指掛部分として用いる他、所望の場所に吊下げて収納しておくための係止部５０も配設されている。
【００１９】
締付部２０は、巻締部１２の他端部側と一体に形成されていて、巻締部１２を巻締め可能に設けられている。締付部２０は上面視が三角形状をなす平板に形成されている。また、締付部２０の下面側には、図３に示すように締付部２０を補強するための肉厚部２４が設けられている。本実施形態においては、肉厚部２４の一部がリング状の巻締部１２の一部を構成している。
【００２０】
ゴムバンド４０は図４に示すように、本体部４２の両端部に貫通孔４４が設けられた耳部４６を有する肉厚の板状体に形成されており、両端の貫通孔４４に突出部１８，２２を貫通させることにより装着される。ゴムバンド４０は、突出部１８，２２どうしを接近させる方向に付勢する。
【００２１】
次に本実施形態におけるキャップ開封用補助具１０を用いたキャップの開封方法について説明する。図５は、当接片の内側空間にペットボトルのキャップを進入させた状態を示すキャップ周りの拡大上面図である。図６は、図５の全体側面図である。
【００２２】
まず、キャップ開封用補助具１０の当接片１２の下端部のガイド面１３を開封しようとしている包装容器のキャップ６０の上面側からペットボトル７０側に押し付ける。するとキャップ６０は、ガイド面１３に沿って当接片１２により形成されたキャップ進入空間１００に誘導される。キャップ６０がキャップ進入空間１００に進入すると図５、図６に示す状態となる。キャップ進入空間１００内へのキャップ６０の進入量は巻締部１２に配設されたストッパ１６の位置により規制されるので、巻締部１２の上面からはみ出してしまうことはない。
【００２３】
キャップ進入空間１００にキャップ６０を収容するだけで、キャップ６０の外周面に形成されたローレット部６２に係止片３０の爪部３２を食い込ませた状態にすることができる。また、ゴムバンド４０による付勢力（図５内矢印Ｚ）により、巻締部１２の他端部（締付部２０側の端部）が係止片３０側に引き寄せられ、再び爪部３２がキャップ６０の外壁側面のローレット部６２に強固に食い込むことになる。
そして使用者は、キャップ６０の開封方向（図５中における反時計回りの方向）に押圧力部２０に押圧力（外力）を作用させることにより、巻締部１２の他端部（締付部２０側端部）を巻締部１２の先端部側にさらに押し付けることにより係止片３０をキャップ６０のローレット部６２に深く食い込ませた状態にしている。
【００２４】
このようにきわめて強固に係止片３０の爪部３２をキャップ６０のローレット部６２に食い込ませた後、キャップ６０を開封方向に回転させているので、握力や腕力に乏しい使用者であっても、簡単にペットボトル７０のキャップ６０を開封することができる。
また、締付部２０に力を加えることによりキャップ６０を回転させると、キャップ６０を直接握って回転させるよりもキャップ６０に作用させる回転モーメント量を大きくすることができるため、ペットボトル７０からキャップ６０を容易に開封することができるのでさらに好都合である。
【００２５】
（第２実施形態）
図７は、第２実施形態におけるキャップ開封用補助具の側面図である。図８は、第２実施形態におけるキャップ開封用補助具の下面図である。本実施形態におけるキャップ開封用補助具１０は、締付部２０にプルタブ開封片２６をさらに有している点が特徴である。実施形態１におけるキャップ開封用補助具１０と同じ構成については同一の部材番号を付すことによりここでの詳細な説明は省略している。
【００２６】
締付部２０には、ゴムバンド４０が掛止されている側面と反対側部分にプルタブ開封片２６が立設されている。プルタブ開封片２６には、プルタブ開封片２６を補強すると共に、プルタブ開封片２６を図示しないプルタブに差し込むだけでプルタブを容器側から離反させることができるリブ２８がプルタブ開封片２６に対して直交させた状態で立設している。プルタブ開封片２６とリブ２８もまた、樹脂製の巻締部１２および締付部２０や、巻締部１２に爪部３２をインサート成形した係止片３０と共に一体成形されている。
【００２７】
リブ２８はリブ２８の先端部から巻付部２０側に徐々に高く形成されていて、リブ２８の先端部から巻付部２０に向かってキャップ進入空間１００側に傾斜する傾斜面に形成されている。また、リブ２８とプルタブ開封片２６とは先端部が先細（薄肉）形状に形成されていて、プルタブ開封片２６にリブ２８が面一となるようにすりつけられた状態で形成されている。このように形成されたプルタブ開封片２６およびリブ２８により、缶飲料等のプルタブを開封する際に、プルタブ開封片２６を容器とプルタブとの隙間部分に進入させやすくなる。また、プルタブ開封片２６の先端部をプルタブと容器の連結部分側に押し込むだけで容易にプルタブを容器側から離反させることができ、プルタブ用器の開封もきわめて簡単に行うことができる。
【００２８】
本実施形態におけるキャップ開封用補助具１０の使用方法は、第１実施形態におけるキャップ開封用補助具１０と同様にして用いることができる。キャップ６０をキャップ進入空間１００に収容した後、本物品を握る際に、締付部２０のプルタブ開封片２６部分に手をあてがうことができるので、より効率的に締付部２０に力（外力）を加えることができる。これにより、さらに簡単にキャップ６０を回転させることができるため好都合である。
【００２９】
以上に本発明にかかるキャップ開封用補助具１０について実施形態に基づいて詳細に説明してきたが、本願発明は以上に説明した実施形態に限定されるものではないのはもちろんである。例えば、以上の実施形態においては、複数本の当接片１４に対して一本の当接片１４Ａにのみ爪部３２を埋設させて係止片３０を形成した形態について説明しているが、係止片３０を複数の当接片１４に配設することも可能である。
さらに係止片３０には当接片１４（１４Ａ）とは別素材で形成した爪部３２が用いられているが、係止片３０として十分機能するならば、当接片１４（１４Ａ）と同じ素材で一体成形することも考えられる。
【００３０】
また、例示した実施形態においてはキャップ当接部である当接片１４が円形配列に配置された形態について説明しているが、当接片１４の配列形態は多角形状や曲線状等の配列を採用することももちろん可能である。これらの形態を採用することにより、配設されている当接片１４の一部がキャップ６０に当接しないことがあるが、巻締部１２の自由端部に係止片３０が配設されていることに加え、締付部２０に加えた締め付け力（外力）により巻締部１２の先端側が対向する他端側に接近させること（巻き締めること）ができるように形成されているので、キャップ６０を開封方向に回転させる際には、キャップ６０の外周面は当接片１４および係止片３０により強固に挟持されるので、キャップ６０に対して本物品が滑ってしまうおそれは極めて低いといえる。
【００３１】
また、本実施形態においては、巻締部１２の内径寸法よりも若干大径のキャップ６０を開封する形態について説明しているが、巻締部１２の内径寸法よりも小径のキャップ６０に本発明品を適用することもできる。この場合、キャップ進入空間１００にキャップ６０を進入させる際に、使用者が巻締部１２の一端部に設けられた係止片３０の爪部３２をキャップ６０の外周面（ローレット部６２）に食い込ませるように係止片３０をキャップ６０の外周面に押圧させながら装着した後、締付部２０によりキャップ６０を開封方向に回転させる際に巻締部１２の他端側（締付部２０側の端部）を係止片３０の外周側から巻き締めるように押圧力（外力）を作用させればよい。この場合、付勢部材であるゴムバンド４０は取り外しておくと使い勝手が良好になる。
【００３２】
また、以上に説明した構成から適宜必要な構成を選択することにより、目的に適合したキャップ開封用補助具１０を形成することができるのはいうまでもなく当然である。
さらには、以上の実施形態においては、未開封のキャップ６０を開封する使用形態について説明したが、キャップ６０を注ぎ口に再装着する際にも本発明品を適用することができる。
【図面の簡単な説明】
【００３３】
【図１】第１実施形態におけるキャップ開封用補助具の上面図である。
【図２】第１実施形態におけるキャップ開封用補助具の側面図である。
【図３】第１実施形態におけるキャップ開封用補助具の下面図である。
【図４】ゴムバンドの上面図と断面図である。
【図５】当接片の内側空間にペットボトルのキャップを進入させた状態を示すキャップ周りの拡大上面図である。
【図６】図５の全体側面図である。
【図７】第２実施形態におけるキャップ開封用補助具の上面図である。
【図８】第２実施形態におけるキャップ開封用補助具の側面図である。
【符号の説明】
【００３４】
１０  キャップ
１２  巻締部
１４，１４Ａ  当接片
１３  ガイド面
１６  ストッパ
１８，２２  突起部
２０  締付部
２４  肉厚部
２６  プルタブ開封片
２８  リブ
３０  係止片
３２  爪部
４０  ゴムバンド（付勢部材）
４２  本体部
４４  貫通孔
４６  耳部
５０  係止部
６０  キャップ
６２  ローレット部
７０  ペットボトル
１００  キャップ進入空間
【図１】
2009227292.tif 000003
【図２】
2009227292.tif 000004
【図３】
2009227292.tif 000005
【図４】
2009227292.tif 000006
【図５】
2009227292.tif 000007
【図６】
2009227292.tif 000008
【図７】
2009227292.tif 000009
【図８】
2009227292.tif 000010